(57)【要約】      （修正有）【課題】ウイルス・細菌の交差感染を防ぎ、取り換えが便利な洗濯ボックス、及び洗濯ボックスとマッチング設計によって使用される、衣類分離式洗浄装置を提供する。【解決手段】洗濯ボックスは、本体と、密封蓋３６と、排水グリッド３５を含み、本体のボトムには洗濯送水口３２と洗濯排水口３３が設置され、中部には汚れ除け導体板３１が設置され、本体のトップには衣類入れ口が設置され、密封蓋は衣類入れ口にヒンジ連結され、排水グリッドは脱着可能に本体の内部に装着されるとともに、排水口近くのサイドエンドに設置される。衣類分離式洗浄装置は、ケーシングと、蓋板および少なくとも２つの洗濯ボックスを含み、洗濯機本体がすべての洗濯ボックスの作動を駆動して、衣類別隔離洗濯を実現する。【選択図】図１
0003229763.tif 000002
【実用新案登録請求の範囲】
【請求項１】
本体（３４）と、密封蓋（３６）と、排水グリッド（３５）を含み、前記本体（３４）の
ボトムには洗濯送水口（３２）と洗濯排水口（３３）が設置され、中部には汚れ除け導体
板（３１）が設置され、前記本体（３４）のトップには衣類入れ口が設置され、前記密封
蓋（３６）は衣類入れ口にヒンジ連結され、前記排水グリッド（３５）は脱着可能に前記
本体の内部に装着されるとともに、前記排水口（３３）近くのサイドエンドに設置される
、ことを特徴とする洗濯ボックス。
【請求項２】
ケーシング（１）と、蓋板（２）および少なくとも２つの請求項１に記載の洗濯ボックス
（３）を含み、前記ケーシング（１）の中には洗濯機本体が固着され、前記洗濯機本体は
、モーターや制御部および汚れ除け装置を含み、前記モーターと前記汚れ除け装置は前記
制御部に電気連結され、前記蓋板（２）は前記ケーシング（１）のトップに固定されると
ともに、前記モーターの出力軸に固定連結され、前記蓋板（２）上には洗濯ボックス用溝
が設置され、前記洗濯ボックス（３）は対称するように前記溝上に設置される、ことを特
徴とする衣類分離式洗浄装置。
【請求項３】
前記汚れ除け装置は超音波発生装置であり、前記蓋板（２）上には超音波発生装置の複数
の超音波出力端子（２１）が露出されているとともに、洗濯機本体送水口および気圧バラ
ンス口（２２２）と洗濯機本体排水口（２３）が設置され、洗濯機本体送水口（２１１）
と気圧バランス口（２２２）との間は仕切板によって分離され、
洗濯機本体送水管（５）の一端は蛇口と連結され、他の一端は洗濯機本体送水口（２２１
）と連結され、洗濯機本体送水口（２２１）には送水バルブが設置され、洗濯ボックスは
溝に挿し込まれ、洗濯機本体送水口（２２１）および気圧バランス口（２２２）は洗濯ボ
ックスの送水口（３２）に挿し込まれ、蛇口の水はバルブの制御によって洗濯ボックス内
に注入できるようにして、注水システムの連結を完了させ、
洗濯ボックスを溝に挿し込んで、洗濯ボックス排水口（３３）と洗濯機本体排水口（２３
）の連結を完了させ、前記洗濯機本体排水口（２３）の所には排水バルブが設置され、さ
らに排水管（６）に連結して、水を下水道に排出し、
超音波発生装置には複数の超音波出力端子（２１）が連結されており、洗濯ボックスを溝
に挿し込み、超音波出力端子（２１）を洗濯ボックスの汚れ除け導体板（３１）に接触さ
せると、超音波が洗濯ボックス内に導入され、
洗濯機本体内において、気圧バランス口（２２２）は電気制御バルブを介して大気連結さ
れ、洗濯ボックスを溝に挿し込み、洗濯機本体の送水口（２２１）および気圧バランス口
（２２２）を洗濯ボックス送水口（３２）に挿し込んで、洗濯ボックスに注水・排水する
時に、洗濯ボックス内の気圧バランスを維持することができ、
前記吸気バルブや前記排気バルブおよび前記電気制御バルブはいずれも制御部に電気連結
される、ことを特徴とする請求項２に記載の衣類分離式洗浄装置。
【請求項４】
前記洗濯機本体は、また乾燥設備と、洗濯ボックス挿し込み溝からなり、洗濯機本体送水
口（２２１）および気圧バランス口（２２２）は洗濯ボックス送水口（３２）に挿し込ま
れ、洗濯ボックス排水口（３３）は洗濯機本体排水口（２３）と対応連結され、前記乾燥
設備の排気管は前記気圧バランス口（２３）と連通され、前記気圧バランス口（２２２）
を介して熱い空気を洗濯ボックス中に吹き入れるとともに、前記洗濯ボックス排水口（２
３）を介して湿冷空気の回収・循環を完了させる、ことを特徴とする請求項３に記載の衣
類分離式洗浄装置。
【請求項５】
前記ケーシング（１）の側面には前記洗濯機本体の電源スイッチ（８）と液晶タッチ制御
スクリーン（９）が設置され、両者はいずれも前記制御部と電気連結されて、自動洗濯に
対する制御を実現する、ことを特徴とする請求項３に記載の衣類分離式洗浄装置。
【請求項６】
前記蓋板（２）上には、また紫外線滅菌ランプ（１０）が設置されるとともに、前記紫外
線滅菌ランプ（１０）は前記制御部と電気連結され、前記洗濯ボックス（３）は透明な材
料で作られる、ことを特徴とする請求項２−５のいずれかに記載の衣類分離式洗浄装置。
【請求項７】
前記汚れ除け導体板（３１）は金属材料で製作される、ことを特徴とする請求項６に記載
の衣類分離式洗浄装置。
【請求項８】
またカバーを含み、前記カバーは前記ケーシング（１）上に固着されるとともに、前記洗
濯機本体と蓋板および前記洗濯ボックス（３）をその中にカバーさせる、ことを特徴とす
る請求項６に記載の衣類分離式洗浄装置。
【請求項９】
前記ケーシング（１）は壁体上またはブラケット上に設置され、洗濯機本体が直立状態を
保つようにする、ことを特徴とする請求項６に記載の衣類分離式洗浄装置。
【請求項１０】
請求項１に記載の洗濯ボックスとブラジャー支持台（７）を含み、前記ブラジャー支持
台（７）は脱着可能に前記洗濯ボックス本体（３４）の内部に装着される、ことを特徴と
する下着専用洗濯ボックス。
【考案の詳細な説明】
【技術分野】
【０００１】
本考案は洗濯設備技術分野に関するものであり、さらに詳しく言うと洗濯ボックスおよび
衣類分離式洗浄装置に関するものである。
【背景技術】
【０００２】
目下、社会経済の発展につれ、各種全自動洗濯機は人々の生活に大きな便宜を提供してお
り、特に若者たちにとって、家事に消耗する時間と負担を減らして、生活の幸福指数を向
上するため、若者たちからの脚光を浴びている。
【０００３】
しかし、既存技術中の普通の洗濯機は、異なる人の衣類を隔離して洗濯することができず
、細菌やウイルスの交差感染が発生し易く、赤ん坊および女性・子供などの厳しい衛生条
件が求められる人々には不適合であり、下着の洗濯、特に女性のブラジャーの洗濯には不
適合であり、衛生問題によって細菌が附着するだけでなく、洗濯中ブラジャーに変形が発
生する。それと同時に、伝統的な洗濯機は、大きな円筒内に注水しなければならず、何枚
の衣類を洗うかに関わらず、一旦機械をスタートすると全負荷で運行しなければならない
ので、水と電気の消耗が大きく、資源の無駄遣いになる。
【０００４】
そのため、洗濯ボックスおよび衣類分離式衣類洗浄装置を提供することは、本分野の技術
者にとって、急に解決せねばならぬ課題となっている。
【考案の概要】
【考案が解決しようとする課題】
【０００５】
本考案は、独立の洗濯ボックスを衣類と水を入れるボックスに設計して、洗濯機本体のい
ずれかの洗濯ボックス用溝に挿し込むことができ、プラグアンドプレイが可能である。衣
類分離式洗浄装置は１台の本体で複数の洗濯ボックスを駆動して衣類を同時に洗濯するよ
うにして、異なる衣類の分離洗濯や、洗濯ボックスの便利な取り換えを実現することがで
き、安全且つ衛生的であり、細菌の交差感染が避けられる。
【課題を解決するための手段】
【０００６】
本体と、密封蓋と、排水グリッドを含み、前記本体のボトムには洗濯送水口と洗濯排水口
が設置され、中部には汚れ除け導体板が設置され、前記本体のトップには衣類入れ口が設
置され、前記密封蓋は衣類入れ口にヒンジ連結され、前記排水グリッドは脱着可能に前記
本体の内部に装着されるとともに、前記排水口近くのサイドエンドに設置される、洗濯ボ
ックス。
【０００７】
本考案には、ケーシングと、蓋板および少なくとも２つの前記洗濯ボックスを含み、前記
ケーシングの中にはモーター、制御部および汚れ除け装置が固着され、前記モーターと前
記汚れ除け装置はいずれも前記制御部に電気連結され、前記蓋板は前記ケーシングのトッ
プに固定されるとともに、前記モーターの出力軸に固定連結され、前記蓋板上には洗濯ボ
ックス用溝が設置され、前記洗濯ボックスは脱着可能に前記溝に対称するように前記溝上
に設置されるとともに、いずれも前記汚れ除け装置に脱着可能に連結され、注水や排水お
よび汚れ除け洗濯システムの連結を同時に完了することができる、衣類分離式洗浄装置が
開示されている。
【０００８】
本考案は洗濯機の洗濯室を洗濯機本体部分から独立させて、機能をなくして、単なる衣類
と水を入れるボックスに設計し、洗濯ボックスを対応する位置の洗濯ボックス用溝上に固
定し、１台の洗濯機本体が複数の洗濯ボックスを駆動して同時に衣類を洗うことができり
るようにし、異なる衣類の分離洗濯を実現すると同時に、洗濯ボックスの取り換えが便利
であり、使用上もっと安全且つ衛生的になる。密封蓋は洗濯ボックス本体とヒンジ連結さ
れているので、洗濯ボックスへの衣類の入れと取り出しが便利であり、密封蓋の所にはシ
ールがあって、洗濯中水が漏れないようにすると同時に、ロッキング構造が設置されてい
るので、密封蓋のロッキングを確保して、洗濯中開かれないようにし、排水グリッドは洗
濯ボックス内の衣類脱水の時に、衣類と排水口を隔離して、塞ぎを防ぐと同時に、排水グ
リッドを取り外すことができるので、きれいな洗濯が可能となる。
【０００９】
好ましくて、前記汚れ除け装置は超音波発生装置であり、前記蓋板上には超音波発生装置
の複数の超音波出力端子が露出されているとともに、洗濯機本体送水口、洗濯機本体排水
口および気圧バランス口が設置され；洗濯機本体送水管の一端は蛇口と連結され、他の一
端は洗濯機本体の送水口と連結され、洗濯機本体の送水口には送水バルブが設置され、洗
濯ボックスは洗濯ボックス用溝に挿し込まれ、洗濯機本体送水口および気圧バランス口は
洗濯ボックスの送水口に挿し込まれ、蛇口の水はバルブの制御によって洗濯ボックス内に
注入できるようにして、注水システムの連結を完了させ；洗濯ボックスを洗濯ボックス用
溝に挿し込み、洗濯ボックス排水口と洗濯機本体排水口を連結することによって、排水シ
ステムの連結を完了させ、前記洗濯機本体排水口の所には排水バルブが設置され、さらに
排水管に連結して、水を下水道に排出し；超音波発生装置には複数の超音波出力端子が連
結されており、洗濯ボックスを溝の挿し込み、超音波出力端子を汚れ除け導体板に接触さ
せると、超音波は洗濯ボックス内に導入される；洗濯機本体内において、気圧バランス口
は電気制御バルブを介して大気連結され、洗濯ボックスを洗濯ボックス用溝に挿し込み、
洗濯機本体送水口および気圧バランス口を洗濯ボックスの送水口に挿し込んで、洗濯ボッ
クスに注水・排水する時に、洗濯ボックス内の気圧バランスを維持することができ；前記
吸気バルブや前記排気バルブおよび前記電気制御バルブはいずれも制御部に電気連結され
る。
【００１０】
洗濯機本体は送水バルブの開きと閉じを制御して、洗濯ボックス内に注水し、注水時、気
圧バランス口の開きを同時に制御するが、洗濯ボックスは密閉容器なので、注水時余分の
大気圧を放出しなければならない；注水が終わると、洗濯機本体は送水バルブと気圧バラ
ンス口の閉じを制御する；超音波発生装置の運行を制御し始めて、超音波発生装置端子は
汚れ除け導体板としっかりくっつき、洗濯機本体内の超音波発生装置は超音波を発生して
、洗濯ボックスに導入して、洗濯ボックス内の衣類に対する洗濯を行う；それと同時に、
洗濯機本体蓋板は洗濯ボックスの回転を駆動して、洗濯ボックス内の水と衣類の振動を引
き起こして、洗濯を完了させる。衣類がきれいに洗濯されると、洗濯機本体は排水バルブ
と気圧バランス口の開きを制御して、洗濯機本体蓋板は洗濯ボックスを高速に回転させて
衣類の脱水を完了させ、洗濯ボックス中の水を下水道に排出する。
【００１１】
好ましくて、前記洗濯機本体は、また乾燥設備と、洗濯ボックス挿し込み溝からなり、洗
濯機本体送水口および気圧バランス口は洗濯ボックス送水口に挿し込まれ、洗濯ボックス
排水口は洗濯機本体排水口と対応連結され、前記乾燥設備の排気管は前記気圧バランス口
と連通され、前記気圧バランス口を介して熱い空気を洗濯ボックス中に吹き入れるととも
に、前記洗濯ボックス排水口を介して湿冷空気の回収・循環を完了させる。
【００１２】
好ましくて、前記ケーシングの側面には前記洗濯機本体の電源スイッチと液晶タッチ制御
スクリーンが設置され、両者はいずれも前記制御部と電気連結される。
【００１３】
上記技術手段を使用することによる有益な効果：ケーシングの側面に洗濯機本体の電源ス
イッチを設置することによって、使用者の洗濯機本体スイッチ操作を便利にすると同時に
、液晶タッチスクリーン上で衣類別洗濯機能を選択することができ、操作が便利で、外観
が時流的になる。
【００１４】
好ましくて、前記蓋板上には、また紫外線滅菌ランプが設置されるとともに、前記紫外線
滅菌ランプは前記制御部と電気連結され、前記洗濯ボックスは透明な材料で作られる。
上記技術手段を使用することによる有益な効果：紫外線滅菌ランプを点灯すると、洗濯ボ
ックスの透明な底部を透かして、衣類に対する滅菌処理を行い、衣類の清潔衛生をさらに
増強する。
【００１５】
好ましくて、汚れ除け導体板は金属で作られ、金属相はその他の材質に比べて超音波を導
入し易く、洗濯時、超音波を洗濯ボックス内部に導入する用途に使用され、洗濯ボックス
の中でキャビテーション効果を発生させて、衣類に対する洗濯を行う。
【００１６】
好ましくて、またカバーを含み、前記カバーは前記ケーシング上に固着されるとともに、
前記洗濯機本体と前記洗濯ボックスの全部をその中にカバーさせる。
【００１７】
上記技術手段を使用することによる有益な効果：カバーは洗濯機本体の正面と洗濯ボック
スの全部をカバーすることができ、洗濯機本体の回転運行時、意外接触による人身傷害を
防げるとともに、紫外線消毒時、人の目に損傷を与えず、作業の安全を確保することがで
きる。
【００１８】
好ましくて、前記ケーシングは壁体上またはブラケット上に設置され、直立状態を保ち、
壁体上に設置すると空間を節約することができ、ブラケット上に設置すると移動が便利に
なる。
【００１９】
本考案には、また洗濯ボックスをブラジャー形状に設置し、内部にブラジャー支持台を設
置し、前記ブラジャー支持台は前記洗濯ボックスと脱着可能に連結される、ブラジャー専
用洗濯ボックスが開示されている。洗濯ボックス内に一つのブラジャー支持台を増やし、
ブラジャー支持台はネット状材質で製作して、ブラジャーに対して支持と固定の役割を果
たし、ブラジャーが洗濯中摩擦と捩じりが発生せず、摩耗もなく、ブラジャーが洗濯中ひ
ずみが発生しないようにする。それと同時に、洗濯ボックスをただブラジャー洗濯だけに
利用することによって、その他の衣類の細菌との交差感染を避け、安全衛生を確保するこ
とができる。パンティー支持台を増やすのも同じく有益な効果がある。
【有利な効果】
【００２０】
（１）独立の洗濯ボックスを設置することによって、構造が簡単であり、洗浄・消毒が便
利になり、且つ原価が低く、古くなると随時に取り替えることができ、値段が安いので、
絶対的な衛生・安全を確保することができる。
（２）下着や靴下、女性のブラジャーおよび夏物などの小型衣類の洗濯に最適であり、異
なる種類の衣類を異なる洗濯ボックスに入れて隔離して選択することによって、安全衛生
をより一層確保することができる。
（３）人別に自分専用の洗濯ボックスを使用して、細菌の交差感染を避けることができ、
赤ん坊および女性・子供など衛生的要求が厳しい人々に最適であり、隔離洗濯と滅菌消毒
によって、衛生安全を確保することができる。
（４）洗濯ボックスの体積が小さくて、伝統的な洗濯機に比べて、水と電気が節約でき、
省エネ的で、環境に優しい。
（５）ホテルや学校、企業の寄宿舎または病院など人が密集して居住する公共場所に最適
であり、ひとりびとりが自分の洗濯ボックスさえ持っていれば、共用の洗濯機本体に挿し
込んで、自分の小型衣類を選択することができ、外出者たちに便宜を提供すると同時に、
清潔且つ衛生的である。
【図面の簡単な説明】
【００２１】
本考案の実施例または既存技術中の技術手段をさらに詳しく説明するために、次は実施例
または既存技術中に使用される図面に対して簡単に説明するものとするが、明らかなこと
に、以下説明される図面はただの本考案の実施例に過ぎず、本分野の技術者なら、創造的
な労働をしなくても、提供される図面によってその他の図面を得ることができる。
【００２２】
【図１】本考案によって提供される洗濯ボックスの構造略図である。
【図２】本考案によって提供される洗濯ボックスの俯瞰図である。
【図３】本考案によって提供されるブラジャー専用の洗濯ボックスの構造略図である。
【図４】本考案によって提供されるブラジャー支持台の構造略図である。
【図５】本考案によって提供される構造略図である。
【図６】本考案によって提供される洗濯機本体、ケーシングおよび蓋板の構造略図である。
【図７】本考案によって提供される洗濯機本体、ケーシングおよび蓋板の正面図である。
【図８】本考案によって提供されるケーシングの側面図である。
【図９】本考案によって提供される第一送水口の構造略図である。
【図１０】本考案によって提供される実施例４の構造略図である。
【図１１】本考案によって提供される実施例５の構造略図である。
【００２３】
そのうち、各図面の符号：
１−ケーシング、２−蓋板、３−洗濯ボックス、２１−超音波発生装置端子、２２−洗濯
機本体送水口および気圧バランス口、２２１−洗濯機本体送水口、２３−第一排水口、２
２２−気圧バランス口、３１−汚れ除け導体板、３２−送水口、３３−排水口、３４−洗
濯ボックス、３５−排水グリッド、３６−密封蓋、４−電源線、５−洗濯機本体送水管、
６−排水管、７−ブラジャー支持台、８−洗濯機本体電源スイッチ、９−液晶タッチ制御
スクリーン、１０−紫外線滅菌ランプ、１１−支持台固定メ栓、１２−支持台固定オ栓。
【考案を実施するための形態】
【００２４】
次は本考案実施例中の図面を参照しながら、本考案実施例中の技術手段について、はっき
り且つ完全な説明をするが、明らかなことに、次に説明される実施例は、ただ本考案の一
部の実施例に過ぎず、全部の実施例ではない。本考案中の実施例に基づき、本分野の普通
の技術者が創造的な労働をせずに得たすべてのその他の実施例は、いずれも本考案の保護
範囲にカバーされる。
【００２５】
図１のとおり、本考案の実施例１には、本体３４と、密封蓋３６と、排水グリッド３５を
含み、前記本体３４のボトムには送水口３２と排水口３３が設置され、中部には汚れ除け
導体板３１が設置され、前記本体３４のトップには衣類入れ口が設置され、前記密封蓋３
６は衣類入れ口にヒンジ連結され、前記排水グリッド３５は脱着可能に前記本体３４の内
部に装着されるとともに、前記排水口近くのサイドエンドに設置される、洗濯ボックスを
開示されている。
【００２６】
本考案実施例１では洗濯機の洗濯室を洗濯機本体部分から独立させて、機能をなくして、
単なる衣類と水を入れるボックスに設計し、１台の洗濯機本体が複数の洗濯ボックスを駆
動して同時に衣類を洗うことができりようにし、異なる衣類の分離洗濯を実現すると同時
に、洗濯ボックスの取り換えが便利であり、使用上もっと安全且つ衛生的になる。密封蓋
３６は洗濯ボックス本体３４とヒンジ連結されているので、洗濯ボックスへの衣類の入れ
と取り出しが便利であり、密封蓋の所にはシールがあって、洗濯中水が漏れないようにす
ると同時に、ロッキング構造が設置されているので、密封蓋３６のロッキングを確保して
、洗濯中開かれないようにし、排水グリッド３５は洗濯ボックス内の衣類脱水の時に、衣
類と排水口を隔離して、塞ぎを防ぐと同時に、排水グリッド３５を取り外すことができる
ので、きれいな洗濯が可能となる。
【００２７】
図３−４のとおり、本考案実施例２には、内部にブラジャー支持台７を設置し、前記ブラ
ジャー支持台７は前記洗濯ボックス３４と脱着可能に連結される、洗濯ボックスが開示さ
れている。
【００２８】
ブラジャーを洗濯ボックス内に固定して洗濯を行い、洗濯中の摩擦変形を防ぐ。洗濯ボッ
クス内に一つのブラジャー支持台を増やし、ブラジャー支持台７は弾力ネット状材質で製
作して、ブラジャーに対して支持と固定の役割を果たし、ブラジャーが洗濯中摩擦と捩じ
りが発生せず、摩耗もなく、ブラジャーが洗濯中ひずみが発生しないようにする。それと
同時に、洗濯ボックスをただブラジャー洗濯だけに利用することによって、その他の衣類
の細菌との交差感染を避け、安全衛生を確保することができる。パンティー支持台を増や
すのも同じく有益な効果がある。
【００２９】
図５−９のとおり、本考案実施例３には、ケーシング１と、蓋板と、モーターと、制御部
と、汚れ除け装置と、二つの普通の洗濯ボックスと、１つのブラジャー専用洗濯ボックス
からなり、汚れ除け装置は超音波発生装置を使用し、モーターと汚れ除け装置はいずれも
制御部に電気連結され、蓋板はケーシング１のトップに固定されるとともに、前記モータ
ーの出力軸に固定連結され、洗濯ボックス３は脱着可能に蓋板上に設置されるとともに、
対応する超音波発生装置と固定連結され、蓋板上にはいずれも超音波発生装置の超音波端
子２１や洗濯機本体送水口および気圧バランス口２２と洗濯機本体排水口２３が露出され
、洗濯ボックス３上には、汚れ除け導体板３１や洗濯ボックス送水口３２および洗濯ボッ
クス排水口３３が設置され；蓋板２には、超音波発生装置の複数の超音波端子２１が露出
されるとともに、洗濯機本体送水口２２１や洗濯機本体排水口２３および気圧バランス口
２２２が設置され；洗濯機本体送水口２２１と気圧バランス口２２２との間は仕切板によ
って隔離され、洗濯機本体送水管５の一端は蛇口と連結され、他の一端は洗濯機本体送水
口２２１と連結され、洗濯機本体送水口２２１には送水バルブが設置され、洗濯ボックス
は洗濯ボックス用溝に挿し込まれ、洗濯機本体送水口２２１および気圧バランス口２２２
は洗濯ボックスの送水口３２に挿し込まれ、蛇口の水はバルブの制御によって洗濯ボック
ス内に注入できるようにして、注水システムの連結を完了させ；洗濯ボックスを溝に挿し
込んで、洗濯ボックス排水口３３と洗濯機本体排水口２３の連結を完了させ、洗濯機本体
排水口２３の所には排水バルブが設置され、さらに排水管６に連結して、水を下水道に排
出し；超音波発生装置には複数の超音波出力端子２１が連結されており、洗濯ボックスを
溝に挿し込み、超音波出力端子２１を洗濯ボックスの汚れ除け導体板３１に接触させると
、超音波が洗濯ボックス内に導入され；洗濯機本体内において、気圧バランス口２２２は
電気制御バルブを介して大気連結され、洗濯ボックスを溝に挿し込み、洗濯機本体の送水
および気圧バランス口２２を洗濯ボックス送水口３２に挿し込んで、洗濯ボックスに注水
・排水する時に、洗濯ボックス内の気圧バランスを維持することができ；吸気バルブや排
気バルブおよび電気制御バルブはいずれも制御部に電気連結される。
【００３０】
本考案実施例３には、作動時、必ず直立状態を維持せねばならぬ衣類分離清浄装置が開示
されている。洗濯ボックスへの注水時、洗濯機本体送水口および気圧バランス口２２２が
いつも水位線以上となるようにして、気圧バランス口２２２の正常な作動を確保しなけれ
ばならない。実施例３には洗濯ボックス用溝が４つしか設計されていないので、洗濯ボッ
クス送水口３２も４つに設計される。ビジネスの必要に応じて、４つ以上の洗濯ボックス
を挿し込む必要がある場合には、洗濯ボックスの設計に１つの送水口３２だけを残すとと
もに、洗濯ボックスを回転できる構造に設計して、洗濯機本体送水口および気圧バランス
口２２の挿し込み位置が対応するようにする。
【００３１】
実施例３には、洗濯機の洗濯室を洗濯機本体部分から独立させて、単なる衣類と水を入れ
るボックスに設計し、つまり洗濯ボックス３を、三つの洗濯ボックス３内に異なる種類の
衣類を入れて、一人の衣類を種類別に分けて洗濯することができ、異なる人の衣類を分け
て洗濯することもでき、同時にモーター２上に装着して、モーターが三つの洗濯ボックス
３を同時に作動させて、異なる衣類の隔離洗濯を実現し、すべての衣類を同一洗濯ボック
ス３内で洗濯することによる細菌とウイルスの交差感染をさけることができ、安全衛生が
確保できるし、洗濯ボックスの取り換えが便利になり、いつでも取り換えられる、衣類分
離式洗浄装置が開示されている。
【００３２】
そのうち、三つの洗濯ボックス中、二つの実施例１の普通洗濯ボックスと一つのブラジャ
ー専用洗濯ボックスが装着される。この時の一つのブラジャー専用洗濯ボックスを二つの
普通洗濯ボックスに取り換えることもでき、つまり、四つの普通洗濯ボックスにして、４
種類の衣類に対する種類別洗濯を行うこともできる。
【００３３】
ここに、例に挙げられている洗濯機本体には、４つの洗濯ボックスが装着されており、製
品の必要に応じては、６つも、８つも、ひいてはもっと多くの普通の洗濯ボックスを設計
することができ、すべての洗濯ボックスはいずれも汎用デザインを使用し、洗濯機本体上
のいずれかの位置に挿し込み、対称に装着して洗濯機本体が運行さえできれば、それで良
い。
【００３４】
ここに、例に挙げられている洗濯ボックスには、４つの洗濯ボックス送水口３２があり、
４つの溝のための洗濯機本体の設計であり、洗濯機本体送水口２２は任意角度から洗濯ボ
ックスを挿し込むことができる。複数の洗濯ボックス付き洗濯機本体に設計される場合、
洗濯ボックス送水口が洗濯ボックスの底部にて回転できる角度でリング上に固定されるよ
うにして、洗濯機本体送水口２２の挿し込み位置に対応させる。注水時、送水口は水位線
以上になっていなければならない。
【００３５】
ケーシング１の側面には前記洗濯機本体の電源スイッチ８と液晶タッチ制御スクリーン９
が設置され、両者はいずれも洗濯機本体２と電気連結される。洗濯機本体の電源スイッチ
８の設置は、使用者の洗濯機本体スイッチ操作を便利にすると同時に、液晶タッチスクリ
ーン９上で衣類別洗濯機能を選択することによって、操作が便利で、外観が時流的になる
。
蓋板２上には、また紫外線滅菌ランプ１０が設置されるとともに、紫外線滅菌ランプ１０
は制御部と電気連結され、洗濯ボックス３は透明な材料で作られる。紫外線滅菌ランプ１
０を点灯すると、洗濯ボックス３の透明な底部を透かして、洗濯ボックス３内の衣類に対
する滅菌処理を行い、衣類の清潔衛生をさらに増強する。
【００３６】
汚れ除け導体板３１は金属で作られ、金属相はその他の材質に比べて超音波を導入し易く
、洗濯時、超音波を洗濯ボックス内部に導入する用途に使用され、洗濯ボックスの中でキ
ャビテーション効果を発生させて、衣類に対する洗濯を行う。
【００３７】
またカバーを含み、カバーはケーシング１上に固着されるとともに、蓋板と洗濯ボックス
全３全部をその中にカバーさせる。カバーは洗濯機本体の正面と洗濯ボックス３の全部を
カバーすることができ、洗濯機本体の回転運行時、意外接触による人身傷害を防げるとと
もに、紫外線消毒時、人の目に損傷を与えず、作業の安全を確保することができる。前記
ケーシング１は壁体上またはブラケット上に固着され、直立状態を保ち、壁体上に設置す
ると空間を節約することができ、ブラケット上に設置すると移動が便利になる。
【００３８】
本考案実施例３の作動プログラム：
（１）二つの普通洗濯ボックスの密封蓋３６を開き、洗濯しようとする靴下を入れ、下着
専用の洗剤を入れて、密封蓋３６をしっかりとロッキングし、他の一つには洗濯しようと
するパンティーを入れ、下着専用の洗剤を入れて、密封蓋３６をしっかりとロッキングし
、二つの普通洗濯ボックスを蓋板２上に固着する。ブラジャー専用洗濯ボックスを開き、
ブラジャー支持台を取り出し、ブラジャーをブラジャー支持台上に固定して、ブラジャー
支持台をブラジャー専用洗濯ボックス内に固定し、下着専用の洗剤を入れて、密封蓋をし
っかりとロッキングする。
（２）カバーを閉めた後、洗濯機本体の電源スイッチ８を入れにし、電気を通せるととも
に、液晶タッチスクリーン９上で機能選択を行い、自動洗濯プログラムに入る。
（３）洗濯機本体内において、図１に対する送水バルブが同時に開かれ、注水口は注水を
始めると同時に、気圧バランス口も開かれるが、洗濯ボックスは密閉容器なので、注水時
余分の大気圧を放出しなければならない。装着されたのはブラジャー洗濯ボックスなので
、ブラジャー専用洗濯ボックス中、底部の第二送水口がアクティブ化されないため、完全
に密閉される。
（４）洗濯ボックス中の水位が約四分の三の体積になると、図１のとおり、水位線Ａにな
ると、洗濯機本体の注水は自動にストップされる（洗濯ボックスとブラジャー専用洗濯ボ
ックスはいずれも固定体積の容器であり、体積も大きくないので、水位オーバーコントロ
ーラがいらなく、固定体積の水を注入すれば良い）。
（５）超音波発生装置端子２１が超音波を放出し始めると、洗濯ボックス中にはキャビテ
ーション効果が発生して、一定の時間が経つと、被洗濯衣類上の汚れはキャビテーション
効果によって、衣類の表面に追い出される。この時、蓋板２はモーターの駆動によって、
時計回りと反時計回りにゆっくりと交替に回転して、洗濯ボックス内の水を振動させ、汚
れを洗濯水中に溶け込むようにして、一定の時間を維持すれば、最適な洗濯効果が得られ
る。
（６）排水口が開かれると同時に、気圧バランス口も開かれ、蓋板はモーターの駆動によ
って、時計回りに高速に回転して、洗濯ボックスから水を排出し、洗濯ボックス中の衣類
を脱水させる。
（７）二回ないし複数回の（３）〜（６）プログラムを繰り返した後、濯ぎ洗いプログラ
ムを始める。
（８）プログラム（６）を少々長い時間繰り返して、衣類をしっかりと脱水させて、脱水
プログラムを完了させる。
（９）このプログラムは消毒プログラムであり、紫外線滅菌ランプ１０を点灯させて、滅
菌プログラムを始める。
（１０）気圧バランス口２２２はこの時乾燥送風口として、洗濯ボックス内に高温乾燥ガ
スを吹き入れ、洗濯機本体は時計回りと反時計周りにゆっくりと交替に回転して、衣類を
洗濯ボックスの中で引っ繰り返しながら乾かす。第二排水口は乾燥の排風口として、湿熱
ガスを洗濯機本体内の収集装置に排出して、湿熱ガスを収集するとともに、水分を排水口
６を介して下水道に排出する。設定された時間が経つと、乾燥プログラムが終了される（
このプログラムは欧米または日本顧客の洗濯習慣に対応させたものであり、中国大陸の顧
客にはオプションとなる）。
（１１）ブザーがなり、洗濯プログラムが終了される。
洗濯機本体のケーシング形状は四角形またはその他の形状に設計することができ、ビジネ
ス開発と美観的需要に応じる。
ブラジャー支持台の設計を参照して、同じくパンティーおよびその他の衣類に対する支持
台の設計を行うことができ、高級下着の変形無し、摩耗無しの洗濯需要を満たす。
洗濯ボックス自体の設計は、使わない時の洗濯ボックスの格納を便利にするために、折り
畳み構造を考慮することができ、ビジネス開発段階にこれを考慮することができる。
本設計は、自動洗濯機の洗濯室を独立させることによって、衣類の分類洗濯、人別洗濯機
能を実現する。衛生且つ無摩耗洗濯設計なので、下着類や小型衣類の分類洗濯に最適であ
る。
【００３９】
そのため、下着の洗濯にとって、これは独創的な変化であり、一旦使用されると、すべて
の家庭にとって、下着の最適な洗い方は手洗いではなく、洗濯ボックスとなる見通しであ
る。
【００４０】
実施例３中の超音波発生装置を電解水設備に替えることもでき、対応する洗濯ボックスの
汚れ除け導体板を電解電極に替えて、汚れ除けさえできる装置を洗濯機本体に装着するな
ら、いずれも本考案の保護範囲にカバーされる。
図１０のとおり、本考案実施例４には、衣類分離式洗浄装置が開示されているが、実施例
３と違う所は洗濯機本体上に対称に二つの普通洗濯ボックスを挿し込み、平素の個人使用
に備えるが、そのうちの一つは靴下の洗濯に使用し、他の一つはペンティーの洗濯に使用
する。そのうち、対称に挿し込む理由は回転時の重量バランスを確保するためである。
【００４１】
説明して置きたいことは、実施例４において、すべての普通の洗濯ボックスはいずれも一
つのつり合い重りボックスに替えて使用することもでき、つり合い重りボックスの構造は
洗濯ボックスの構造と全く同じであり、重量が洗濯ボックスに水を入れた重量に相当する
だけである。よって、一つの洗濯ボックスであっても単独に使用することができる。
【００４２】
図１１のとおり、本考案実施例５には、、衣類分離式洗浄装置が開示されているが、実施
例３と違う所は、洗濯機本体上に４つの普通洗濯ボックスを対称に挿し込むことであり、
それぞれ二人の下着と靴下または異なる衣類を洗濯することができる。
【００４３】
本明細書中の各実施例は、漸進式で説明されており、それぞれの実施例において、重点的
に説明されたものはいずれも違う所であり、同様または類似した部分は互いに参照すれば
良い。実施例に開示された装置にとって、実施例に開示された方法と対応するので、説明
は比較的簡単であり、関連する所については方法部分の説明を参照すれば良い。
【００４４】
開示された実施例の上記説明に対して、本分野の専門技術者なら本考案を実現または使用
することができる。これらの実施例に対する数々の修正は、本分野の技術者にとっては明
らかなことであり、本書類中に定義された一般原理は本考案の精神または範囲を離れずに
、その他の実施例中にて実現することができる。そのため、本考案は本書類に示されてい
るこれらの実施例に限定されず、本書類に開示された原理および新規性と一致する最大範
囲に適合する。
【図１】
0003229763.tif 000003
【図２】
0003229763.tif 000004
【図３】
0003229763.tif 000005
【図４】
0003229763.tif 000006
【図５】
0003229763.tif 000007
【図６】
0003229763.tif 000008
【図７】
0003229763.tif 000009
【図８】
0003229763.tif 000010
【図９】
0003229763.tif 000011
【図１０】
0003229763.tif 000012
【図１１】
0003229763.tif 000013
【手続補正書】
【提出日】令和2年10月5日(2020.10.5)
【手続補正１】
【補正対象書類名】実用新案登録請求の範囲
【補正対象項目名】全文
【補正方法】変更
【補正の内容】
【実用新案登録請求の範囲】
【請求項１】
本体（３４）と、密封蓋（３６）と、排水グリッド（３５）を含み、前記本体（３４）の
ボトムには洗濯ボックス（３）の送水口（３２）と洗濯ボックス（３）の排水口（３３）
が設置され、中部には汚れ除け導体板（３１）が設置され、前記本体（３４）のトップに
は衣類入れ口が設置され、前記密封蓋（３６）は衣類入れ口にヒンジ連結され、前記排水
グリッド（３５）は脱着可能に前記本体の内部に装着されるとともに、前記排水口（３３
）近くのサイドエンドに設置される、ことを特徴とする洗濯ボックス。
【請求項２】
ケーシング（１）と、蓋板（２）および少なくとも２つの請求項１に記載の洗濯ボックス
（３）を含み、前記ケーシング（１）の中には洗濯機本体が固着され、前記洗濯機本体は
、モーターや制御部および汚れ除け装置を含み、前記モーターと前記汚れ除け装置は前記
制御部に電気連結され、前記蓋板（２）は前記ケーシング（１）のトップに固定されると
ともに、前記モーターの出力軸に固定連結され、前記蓋板（２）上には前記洗濯ボックス
（３）用溝が設置され、前記洗濯ボックス（３）は前記溝上に設置される、ことを特徴と
する衣類分離式洗浄装置。
【請求項３】
前記汚れ除け装置は超音波発生装置であり、前記蓋板（２）上には超音波発生装置の複数
の超音波出力端子（２１）が露出されているとともに、洗濯機本体送水口および気圧バラ
ンス口（２２２）と洗濯機本体排水口（２３）が設置され、洗濯機本体送水口（２１１）
と気圧バランス口（２２２）との間は仕切板によって分離され、
洗濯機本体送水管（５）の一端は蛇口と連結され、他の一端は洗濯機本体送水口（２２１
）と連結され、洗濯機本体送水口（２２１）には送水バルブが設置され、前記洗濯ボック
ス（３）は溝に挿し込まれ、洗濯機本体送水口（２２１）および気圧バランス口（２２２
）は前記洗濯ボックス（３）の送水口（３２）に挿し込まれ、蛇口の水はバルブの制御に
よって前記洗濯ボックス（３）内に注入できるようにして、注水システムの連結を完了さ
せ、
前記洗濯ボックス（３）を溝に挿し込んで、前記洗濯ボックス（３）の排水口（３３）と
洗濯機本体排水口（２３）の連結を完了させ、前記洗濯機本体排水口（２３）の所には排
水バルブが設置され、さらに排水管（６）に連結して、水を下水道に排出し、
超音波発生装置には複数の超音波出力端子（２１）が連結されており、前記洗濯ボックス
（３）を溝に挿し込み、超音波出力端子（２１）を前記洗濯ボックス（３）の汚れ除け導
体板（３１）に接触させると、超音波が前記洗濯ボックス（３）内に導入され、
洗濯機本体内において、気圧バランス口（２２２）は電気制御バルブを介して大気連結さ
れ、前記洗濯ボックス（３）を溝に挿し込み、洗濯機本体の送水口（２２１）および気圧
バランス口（２２２）を前記洗濯ボックス（３）の送水口（３２）に挿し込んで、前記洗
濯ボックス（３）に注水・排水する時に、前記洗濯ボックス（３）内の気圧バランスを維
持することができ、
吸気バルブ、排気バルブ、および前記電気制御バルブはいずれも制御部に電気連結される
、ことを特徴とする請求項２に記載の衣類分離式洗浄装置。
【請求項４】
前記洗濯機本体は、また乾燥設備と、前記洗濯ボックス（３）の挿し込み溝からなり、洗
濯機本体送水口（２２１）および気圧バランス口（２２２）は前記洗濯ボックス（３）の
送水口（３２）に挿し込まれ、前記洗濯ボックス（３）の排水口（３３）は洗濯機本体排
水口（２３）と対応連結され、前記乾燥設備の排気管は前記気圧バランス口（２２２）と
連通され、前記気圧バランス口（２２２）を介して熱い空気を前記洗濯ボックス（３）中
に吹き入れるとともに、前記前記洗濯ボックス（３）の排水口（３３）を介して湿冷空気
の回収・循環を完了させる、ことを特徴とする請求項３に記載の衣類分離式洗浄装置。
【請求項５】
前記ケーシング（１）の側面には前記洗濯機本体の電源スイッチ（８）と液晶タッチ制御
スクリーン（９）が設置され、両者はいずれも前記制御部と電気連結されて、自動洗濯に
対する制御を実現する、ことを特徴とする請求項３に記載の衣類分離式洗浄装置。
【請求項６】
前記蓋板（２）上には、また紫外線滅菌ランプ（１０）が設置されるとともに、前記紫外
線滅菌ランプ（１０）は前記制御部と電気連結され、前記洗濯ボックス（３）は透明な材
料で作られる、ことを特徴とする請求項２−５のいずれかに記載の衣類分離式洗浄装置。
【請求項７】
前記汚れ除け導体板（３１）は金属材料で製作される、ことを特徴とする請求項６に記載
の衣類分離式洗浄装置。
【請求項８】
またカバーを含み、前記カバーは前記ケーシング（１）上に固着されるとともに、前記洗
濯機本体と前記蓋板（２）および前記洗濯ボックス（３）をその中にカバーさせる、こと
を特徴とする請求項６に記載の衣類分離式洗浄装置。
【請求項９】
前記ケーシング（１）は壁体上またはブラケット上に設置され、前記洗濯機本体が直立状
態を保つようにする、ことを特徴とする請求項６に記載の衣類分離式洗浄装置。
【請求項１０】
請求項１に記載の洗濯ボックス（３）とブラジャー支持台（７）を含み、前記ブラジャ
ー支持台（７）は脱着可能に前記本体（３４）の内部に装着される、ことを特徴とする下
着専用洗濯ボックス。